(57)【要約】【課題】  床部に対する荷重を正確に検出することができるエレベータかご装置を提供する。【解決手段】  エレベータかご装置は、床部に対する荷重を検出する検出部と、床部に対して固定され、検出部に変位量を検出される被検出部と、を備え、被検出部は、第１床枠の端部に対する複数の第１弾性部の位置の、平均の位置である第１位置と、第２床枠の端部に対する複数の第２弾性部の位置の、平均の位置である第２位置と、の中心位置を含む。【選択図】  図７
2019189451.tif 000002
【特許請求の範囲】
【請求項１】
平行となるように延びる第１及び第２床枠を有する床部と、
前記床部を下方から支持する支持部と、
前記第１床枠と前記支持部とを接続する複数の第１弾性部と、
前記第２床枠と前記支持部とを接続する複数の第２弾性部と、
前記支持部に対して固定され、前記床部に対する荷重を検出する検出部と、
前記床部に対して固定され、前記検出部に変位量を検出される被検出部と、を備え、
前記被検出部は、前記第１床枠の端部に対する前記複数の第１弾性部の位置の、平均の位置である第１位置と、前記第２床枠の端部に対する前記複数の第２弾性部の位置の、平均の位置である第２位置と、の中心位置を含む、エレベータかご装置。
【請求項２】
前記第１床枠から前記第２床枠まで延びて前記第１及び第２床枠にそれぞれ接続される長尺部を備え、
前記被検出部は、前記長尺部の中央部に配置され、
前記長尺部が前記第１床枠に接続される部分は、前記第１位置を含み、
前記長尺部が前記第２床枠に接続される部分は、前記第２位置を含む、請求項１に記載のエレベータかご装置。
【請求項３】
前記床部は、前記第１床枠から前記第２床枠まで延びて前記第１及び第２床枠にそれぞれ接続される第３及び第４床枠と、前記第３床枠から前記第４床枠まで延びて前記第３及び第４床枠にそれぞれ接続される少なくとも一つの補強材と、を備え、
前記長尺部が延びる方向は、前記補強材が延びる方向に対して交差する方向である、請求項２に記載のエレベータかご装置。
【請求項４】
前記長尺部は、前記補強材から離れており、
前記長尺部は、前記第１及び第２床枠の少なくとも一方に対して、前記長尺部が延びる方向にスライド可能となるように、前記第１及び第２床枠にそれぞれ接続される、請求項３に記載のエレベータかご装置。
【請求項５】
請求項１〜４の何れか１項に記載のエレベータかご装置と、
前記エレベータかご装置に接続されるロープと、
前記ロープに接続される釣合錘と、を備えるエレベータ。
【発明の詳細な説明】
【技術分野】
【０００１】
本発明は、エレベータかご装置及びエレベータに関する。
【背景技術】
【０００２】
従来、例えば、エレベータかご装置は、床部に対する荷重を検出する検出部を備えている（例えば、特許文献１）。これにより、例えば、エレベータかご装置の内部に乗ったユーザの重量等を検出することができる。しかしながら、例えば、ユーザが床部の端部に乗った場合と、ユーザが床部の中央に乗った場合とで、大きな検出誤差が発生している。
【先行技術文献】
【特許文献】
【０００３】
【特許文献１】特開昭６１−８１３７９号公報
【発明の概要】
【発明が解決しようとする課題】
【０００４】
そこで、課題は、床部に対する荷重を正確に検出することができるエレベータかご装置及びエレベータを提供することである。
【課題を解決するための手段】
【０００５】
エレベータかご装置は、平行となるように延びる第１及び第２床枠を有する床部と、前記床部を下方から支持する支持部と、前記第１床枠と前記支持部とを接続する複数の第１弾性部と、前記第２床枠と前記支持部とを接続する複数の第２弾性部と、前記支持部に対して固定され、前記床部に対する荷重を検出する検出部と、前記床部に対して固定され、前記検出部に変位量を検出される被検出部と、を備え、前記被検出部は、前記第１床枠の端部に対する前記複数の第１弾性部の位置の、平均の位置である第１位置と、前記第２床枠の端部に対する前記複数の第２弾性部の位置の、平均の位置である第２位置と、の中心位置を含む。
【０００６】
また、エレベータかご装置は、前記第１床枠から前記第２床枠まで延びて前記第１及び第２床枠にそれぞれ接続される長尺部を備え、前記被検出部は、前記長尺部の中央部に配置され、前記長尺部が前記第１床枠に接続される部分は、前記第１位置を含み、前記長尺部が前記第２床枠に接続される部分は、前記第２位置を含む、という構成でもよい。
【０００７】
また、エレベータかご装置においては、前記床部は、前記第１床枠から前記第２床枠まで延びて前記第１及び第２床枠にそれぞれ接続される第３及び第４床枠と、前記第３床枠から前記第４床枠まで延びて前記第３及び第４床枠にそれぞれ接続される少なくとも一つの補強材と、を備え、前記長尺部が延びる方向は、前記補強材が延びる方向に対して交差する方向である、という構成でもよい。
【０００８】
また、エレベータかご装置においては、前記長尺部は、前記補強材から離れており、前記長尺部は、前記第１及び第２床枠の少なくとも一方に対して、前記長尺部が延びる方向にスライド可能となるように、前記第１及び第２床枠にそれぞれ接続される、という構成でもよい。
【０００９】
また、エレベータかご装置は、前記長尺部と前記第１床枠とを接続するボルトを備え、前記長尺部は、前記ボルトに挿通される孔部を備え、前記第１床枠は、前記ボルトに挿通される孔部を備え、前記長尺部の前記孔部及び前記第１床枠の前記孔部の少なくとも一方は、前記長尺部が延びる方向に延びる長孔状に、形成される、という構成でもよい。
【００１０】
また、エレベータかご装置は、前記長尺部と前記第２床枠とを接続するボルトを備え、前記長尺部は、前記ボルトに挿通される孔部を備え、前記第２床枠は、前記ボルトに挿通される孔部を備え、前記長尺部の前記孔部及び前記第２床枠の前記孔部の少なくとも一方は、前記長尺部が延びる方向に延びる長孔状に、形成される、という構成でもよい。
【００１１】
また、エレベータかご装置においては、前記第１弾性部は、三つ以上備えられ、前記第１弾性部同士間のそれぞれの距離は、異なっており、前記第２弾性部は、三つ以上備えられ、前記第２弾性部同士間のそれぞれの距離は、異なっている、という構成でもよい。
【００１２】
また、エレベータは、前記のエレベータかご装置と、前記エレベータかご装置に接続されるロープと、前記ロープに接続される釣合錘と、を備える。
【図面の簡単な説明】
【００１３】
【図１】図１は、一実施形態に係るエレベータの要部斜視図である。
【図２】図２は、同実施形態に係るエレベータかご装置の右側面図である。
【図３】図３は、同実施形態に係るエレベータかご装置の要部斜視図である。
【図４】図４は、図３のIV−IV線断面図である。
【図５】図５は、同実施形態に係るエレベータかご装置の要部右側面図である。
【図６】図６は、同実施形態に係るエレベータかご装置の要部左側面図である。
【図７】図７は、同実施形態に係るエレベータかご装置の要部斜視図である。
【図８】図８は、同実施形態に係るエレベータかご装置の要部右側面図であって、作用効果を説明する図である。
【図９】図９は、同実施形態に係るエレベータかご装置の要部右側面図であって、作用効果を説明する図である。
【図１０】図１０は、同実施形態に係るエレベータかご装置の要部右側面図であって、作用効果を説明する図である。
【図１１】図１１は、同実施形態に係るエレベータかご装置の要部拡大右側面図である。
【図１２】図１２は、同実施形態に係る同実施形態に係るエレベータかご装置の要部拡大正面図である。
【図１３】図１３は、変形例に係るエレベータかご装置の一部縦断面を示す要部正面図であって、作用効果を説明する図である。
【図１４】図１４は、他の変形例に係るエレベータかご装置の一部縦断面を示す要部正面図であって、作用効果を説明する図である。
【図１５】図１５は、図１〜図１２に係るエレベータかご装置の一部縦断面を示す要部正面図であって、作用効果を説明する図である。
【図１６】図１６は、他の実施形態に係るエレベータかご装置の一部縦断面を示す要部正面図である。
【図１７】図１７は、さらに他の実施形態に係るエレベータかご装置の要部斜視図である。
【図１８】図１８は、さらに他の実施形態に係るエレベータかご装置の要部斜視図である。
【図１９】図１９は、比較例に係るエレベータかご装置の荷重を加えた位置に対する検出値を示す図である。
【図２０】図２０は、実施例に係るエレベータかご装置の荷重を加えた位置に対する検出値を示す図である。
【発明を実施するための形態】
【００１４】
以下、エレベータ及びエレベータかご装置における一実施形態について、図１〜図１５を参照しながら説明する。なお、各図（図１６〜図２０も同様）において、図面の寸法比と実際の寸法比とは、必ずしも一致しておらず、また、各図面の間での寸法比も、必ずしも一致していない。
【００１５】
図１に示すように、本実施形態に係るエレベータ１は、ユーザが乗るためのエレベータかご装置（以下、単に「かご装置」ともいう）２と、かご装置２に接続されるロープ１ａと、ロープ１ａに接続される釣合錘１ｂとを備えている。そして、エレベータ１は、かご装置２及び釣合錘１ｂを昇降させる巻上機（図示及び採番していない）を備えている。なお、巻上機が、ロープ１ａに巻き掛けられる綱車を備えおり、綱車が回転することによって、かご装置２及び釣合錘１ｂが昇降する。
【００１６】
本実施形態においては、ロープ１ａの一端部がかご装置２に固定され、ロープ１ａの他端部が釣合錘１ｂに固定されている、という構成であるが、斯かる構成に限られない。例えば、ロープ１ａの両端部がそれぞれ昇降路の上部に固定され、ロープ１ａがかご装置２のシーブ（図示していない）及び釣合錘１ｂのシーブにそれぞれ巻き掛けられることによって、ロープ１ａがかご装置２及び釣合錘１ｂにそれぞれ接続されている、という構成でもよい。
【００１７】
図１及び図２に示すように、かご装置２は、かご室２ａと、かご室２ａを囲むように配置されるかご枠部３と、かご室２ａの床を構成する床部４と、床部４を下方から支持する支持部５と、床部４と支持部５とを接続する複数の弾性部６ａとを備えている。また、かご装置２は、床部４に接続される長尺部７と、長尺部７の変位量に基づいて床部４に対する荷重を検出する検出部８とを備えている。
【００１８】
かご枠部３は、上方に配置される上枠３ａと、下方に配置される下枠３ｂと、上枠３ａ及び下枠３ｂにそれぞれ接続される複数の縦枠３ｃ，３ｃとを備えている。上枠３ａ及び下枠３ｂは、第１横方向Ｄ１に沿って延びており、縦枠３ｃは、縦方向Ｄ３に沿って延びている。上枠３ａと下枠３ｂとは、互いに平行であり、複数の縦枠３ｃは、互いに平行である。
【００１９】
かご枠部３は、矩形状に形成されている。なお、かご枠部３は、剛性を有していれば、特に限定されないが、例えば、金属で形成されている。例えば、上枠３ａ、下枠３ｂ及び縦枠３ｃは、それぞれ長尺な鋼材で構成されていてもよい。
【００２０】
床部４は、剛性を有する床枠部９と、床枠部９の上部に固定される床板部４ａとを備えている。なお、床板部４ａは、ある程度の剛性を有していれば、特に限定されないが、例えば、板材（例えば、べニア板、金属板等）と、板材を覆う床材（例えば、シート、タイル等）と、から構成されてもよい。
【００２１】
支持部５は、かご枠部３の下枠３ｂに固定されている。また、かご装置２は、かご枠部３の縦枠３ｃと支持部５とにそれぞれ接続される複数の保持材２ｂを備えており、支持部５は、保持材２ｂによって、かご枠部３に保持されている。
【００２２】
図３及び図４に示すように、支持部５は、互いに平行となるように延びる第１及び第２支持枠５ａ，５ｂと、互いに平行となるように延びる第３及び第４支持枠５ｃ，５ｄとを備えている。第１及び第２支持枠５ａ，５ｂは、第１横方向Ｄ１と直交する第２横方向Ｄ２に沿って延びており、第３及び第４支持枠５ｃ，５ｄは、第１支持枠５ａから第２支持枠５ｂまで、第１横方向Ｄ１に沿って延びている。
【００２３】
そして、第３及び第４支持枠５ｃ，５ｄは、第１及び第２支持枠５ａ，５ｂにそれぞれ接続されている。これにより、支持部５は、矩形状に形成されている。なお、支持部５は、斯かる構成に限られず、例えば、第３及び第４支持枠５ｃ，５ｄを備えておらず、第１及び第２支持枠５ａ，５ｂのみを備えている、という構成でもよい。
【００２４】
また、支持部５は、剛性を有していれば、特に限定されないが、例えば、金属で形成されている。例えば、第１〜第４支持枠５ａ〜５ｄは、それぞれ長尺な鋼材で構成されていてもよい。
【００２５】
床枠部９は、互いに平行となるように延びる第１及び第２床枠９ａ，９ｂと、互いに平行となるように延びる第３及び第４床枠９ｃ，９ｄとを備えている。第１及び第２床枠９ａ，９ｂは、第２横方向Ｄ２に沿って延びており、第３及び第４床枠９ｃ，９ｄは、第１床枠９ａから第２床枠９ｂまで、第１横方向Ｄ１に沿って延びている。
【００２６】
そして、第３及び第４床枠９ｃ，９ｄは、第１及び第２床枠９ａ，９ｂにそれぞれ接続されている。これにより、床枠部９は、矩形状に形成されている。なお、第１床枠９ａは、縦方向Ｄ３にて第１支持枠５ａと対面しており、第２床枠９ｂは、縦方向Ｄ３にて第２支持枠５ｂと対面しており、第３床枠９ｃは、縦方向Ｄ３にて第３支持枠５ｃと対面しており、第４床枠９ｄは、縦方向Ｄ３にて第４支持枠５ｄと対面している。
【００２７】
また、床枠部９は、第１及び第２床枠９ａ，９ｂ間に配置される複数の補強材９ｅを備えている。複数の補強材９ｅは、第２横方向Ｄ２に沿って延びている。そして、複数の補強材９ｅは、第３床枠９ｃから第４床枠９ｄまで延びて、第３及び第４床枠９ｃ，９ｄにそれぞれ接続されている。これにより、補強材９ｅが床枠部９を補強するため、床枠部９の強度が大きくなる。
【００２８】
なお、床枠部９は、剛性を有していれば、特に限定されないが、例えば、金属で形成されている。例えば、第１〜第４床枠９ａ〜９ｄ及び補強材９ｅは、それぞれ長尺な鋼材で構成されていてもよい。また、補強材９ｅの個数は、特に限定されない。
【００２９】
弾性部６ａ，６ｂは、第１床枠９ａと支持部５とを接続する複数の第１弾性部６ａと、第２床枠９ｂと支持部５とを接続する複数の第２弾性部６ｂとを備えている。第１弾性部６ａは、第１床枠９ａと第１支持枠５ａとを接続しており、第２弾性部６ｂは、第２床枠９ｂと第２支持枠５ｂとを接続している。
【００３０】
そして、弾性部６ａ，６ｂは、床部４に下向きの荷重が加えられた際に、縦方向Ｄ３に収縮するように弾性変形する。また、弾性部６ａ，６ｂは、かご枠部３及び支持部５が揺れた際に、横方向Ｄ１，Ｄ２に弾性変形することによって、当該揺れを床部４に伝達することを抑制する。なお、弾性部６ａ，６ｂは、弾性を有していれば、特に限定されないが、例えば、ゴムで形成されている。例えば、弾性部６ａ，６ｂは、防振ゴムとしてもよい。
【００３１】
長尺部７は、第３及び第４床枠９ｃ，９ｄ間に配置されている。そして、長尺部７は、第１床枠９ａに接続される第１接続部７ａと、第２床枠９ｂに接続される第２接続部７ｂと、長尺部７の中央部に配置され、検出部８に検出される被検出部７ｃとを備えている。なお、第１及び第２接続部７ａ，７ｂの上面は、それぞれ平面状に形成されており、第１及び第２床枠９ａ，９ｂの下面は、それぞれ平面状に形成されている。
【００３２】
このように、長尺部７は、第１床枠９ａから第２床枠９ｂまで延び、第１及び第２床枠９ａ，９ｂにそれぞれ接続されている。具体的には、長尺部７は、第１横方向Ｄ１に沿って延びており、第１及び第２床枠９ａ，９ｂの下部にそれぞれ接続されている。
【００３３】
これにより、長尺部７が延びる方向Ｄ１は、縦方向Ｄ３視において、補強材９ｅが延びる方向Ｄ２と、交差している。具体的には、長尺部７が延びる方向Ｄ１は、縦方向Ｄ３視において、補強材９ｅが延びる方向Ｄ２と、直交している。また、長尺部７は、縦方向Ｄ３において、全ての補強材９ｅから離れている。なお、長尺部７は、剛性を有していれば、特に限定されないが、例えば、金属で形成されている。例えば、長尺部７は、長尺な鋼材で構成されていてもよい。
【００３４】
検出部８は、長尺部７の、第１接続部７ａと第２接続部７ｂとの間の中心位置を、検出している。そして、検出部８は、支持部５に対して固定されている。例えば、検出部８は、支持部５に直接固定されていてもよく、他の部材を介在して支持部５に固定されていてもよい。本実施形態においては、検出部８は、かご枠部３の下枠３ｂ（図３及び図４においては、図示していない）に固定されることによって、支持部５に対して固定されている。
【００３５】
そして、床部４に荷重が加えられた場合には、弾性部６ａ，６ｂが縦方向Ｄ３に収縮するように弾性変形するため、長尺部７が支持部５に対して縦方向Ｄ３で接近するように変位する。そして、検出部８は、支持部５に対する長尺部７の変位量に基づいて、床部４に対する荷重を検出する。なお、検出部８は、特に限定されないが、例えば、荷重をリニアに検出できるロードセルである、という構成でもよく、また、例えば、所定以上の荷重を検出できるタッチセンサや近接センサである、という構成でもよい。
【００３６】
ところで、弾性部６ａ，６ｂは、他の部品等と干渉しないように、配置されている。例えば、図５及び図６に示すように、複数の弾性部６ａ，６ｂ間のそれぞれの距離は、異なっている。なお、図５及び図９（図７〜図１６も同様）において、床部４のうち、床枠部９のみが図示されており、床板部４ａが図示されておらず、また、支持部５も図示されていない。
【００３７】
例えば、図５においては、左側の第１弾性部６ａと中央の第１弾性部６ａとの間の距離は、右側の第１弾性部６ａと中央の第１弾性部６ａとの距離よりも、大きくなっている。また、例えば、図６においては、右側の第２弾性部６ｂと中央の第２弾性部６ｂとの間の距離は、左側の第２弾性部６ｂと中央の第２弾性部６ｂとの距離よりも、大きくなっている。なお、複数の弾性部６ａ，６ｂは、全て同じ構成（例えば、形状、弾性力）である。
【００３８】
そして、図５に示すように、長尺部７が第１床枠９ａに接続される部分、即ち、第１接続部７ａは、第１床枠９ａの端部に対する複数の第１弾性部６ａの位置の、平均の位置（以下、「第１位置」ともいう）Ｐ１を含んでいる。ここで、第１接続部７ａが第１位置Ｐ１を含むとは、第１接続部７ａが第１位置Ｐ１と縦方向Ｄ３で重なることをいう。
【００３９】
そして、第１床枠９ａの端部に対する第１位置Ｐ１の距離Ｌ１と、第１床枠９ａの端部に対する各第１弾性部６ａの中心位置の距離Ｌ１ａ〜Ｌ１ｎとは、以下のような関係式となる。
Ｌ１＝（Ｌ１ａ＋Ｌ１ｂ＋・・・＋Ｌ１ｎ）／ｎ
本実施形態においては、第１弾性部６ａが三つ備えられているため、以下のような関係式となる。
Ｌ１＝（Ｌ１ａ＋Ｌ１ｂ＋Ｌ１ｃ）／３
【００４０】
また、図６に示すように、長尺部７が第２床枠９ｂに接続される部分、即ち、第２接続部７ｂは、第２床枠９ｂの端部に対する複数の第２弾性部６ｂの位置の、平均の位置（以下、「第２位置」ともいう）Ｐ２を含んでいる。ここで、第２接続部７ｂが第２位置Ｐ２を含むとは、第２接続部７ｂが第２位置Ｐ２と縦方向Ｄ３で重なることをいう。
【００４１】
そして、第２床枠９ｂの端部に対する第２位置Ｐ２の距離Ｌ２と、第２床枠９ｂの端部に対する各第２弾性部６ｂの中心位置の距離Ｌ２ａ〜Ｌ２ｎとは、以下のような関係式となる。
Ｌ２＝（Ｌ２ａ＋Ｌ２ｂ＋・・・＋Ｌ２ｎ）／ｎ
本実施形態においては、第２弾性部６ｂが三つ備えられているため、以下のような関係式となる。
Ｌ２＝（Ｌ２ａ＋Ｌ２ｂ＋Ｌ２ｃ）／３
【００４２】
したがって、図７に示すように、長尺部７の第１接続部７ａが第１位置Ｐ１を含み、長尺部７の第２接続部７ｂが第２位置Ｐ２と含んでいるため、長尺部７の中央部に配置される被検出部７ｃは、第１位置Ｐ１と第２位置Ｐ２との中心位置Ｐ３を含むことになる。なお、中心位置Ｐ３と第１位置Ｐ１との距離Ｌ３ａは、中心位置Ｐ３と第２位置Ｐ２との距離Ｌ３ｂと同じである。
【００４３】
ここで、被検出部７ｃが中心位置Ｐ３を含むとは、被検出部７ｃが中心位置Ｐ３と縦方向Ｄ３で重なることをいう。また、本実施形態においては、複数の第２弾性部６ｂの配置は、第２横方向Ｄ２に対して、複数の第１弾性部６ａの配置と、線対称となっている。
【００４４】
斯かる構成の作用効果について、図８〜図１０を参照しながら説明する。また、図８〜図１０は、床部４及び長尺部７の変位や弾性部６ａの変形が実際よりも大きくなるように、図示されている。
【００４５】
例えば、図８に示すように、第１横方向Ｄ１視において、第１接続部７ａの付近に、荷重が加えられた場合には、各弾性部６ａの弾性変形量は、略同じになる。これにより、床部４における、第１接続部７ａの位置の変位量Ｓ１ａは、手前側（図８〜図１０の左側）の変位量Ｓ２ａと、奥側（図８〜図１０の右側）の変位量Ｓ３ａと、略同じである（Ｓ１ａ≒Ｓ２ａ≒Ｓ３ａ）。なお、図８（図９及び図１０も同様）において、２点鎖線は、床部４に荷重が加えられていない際の、床枠部９（第１床枠９ａ）の下面を示している。
【００４６】
次に、図９に示すように、第１横方向Ｄ１視において、第１接続部７ａよりも手前側（第１横方向Ｄ１においては図８と同じ位置としている）に、荷重が加えられた場合には、手前側の弾性部６ａほど、弾性変形量が大きくなる。これにより、床部４における、第１接続部７ａの位置の変位量Ｓ１ｂは、手前側の変位量Ｓ２ｂよりも小さく、奥側の変位量Ｓ３ｂよりも大きくなる（Ｓ２ｂ＞Ｓ１ｂ＞Ｓ３ｂ）。
【００４７】
このとき、床枠部９（第１床枠９ａ）は、第１接続部７ａ（第１位置Ｐ１）を基点に、傾斜することになる。したがって、第１接続部７ａの付近に荷重が加えられた場合における、第１接続部７ａの位置の変位量Ｓ１ａは、第１接続部７ａよりも手前側に同じ荷重が加えられた場合における、第１接続部７ａの位置の変位量Ｓ１ｂと、略同じとなる（Ｓ１ａ≒Ｓ１ｂ）。
【００４８】
次に、図１０に示すように、第１横方向Ｄ１視において、第１接続部７ａよりも奥側（第１横方向Ｄ１においては図８及び図９と同じ位置としている）に、荷重が加えられた場合には、奥側の弾性部６ａほど、弾性変形量が大きくなる。これにより、床部４における、第１接続部７ａの位置の変位量Ｓ１ｃは、手前側の変位量Ｓ２ｃよりも大きく、奥側の変位量Ｓ３ｃよりも小さくなる（Ｓ３ｃ＞Ｓ１ｃ＞Ｓ２ｃ）。
【００４９】
このとき、床枠部９（第１床枠９ａ）は、第１接続部７ａ（第１位置Ｐ１）を基点に、傾斜することになる。したがって、第１接続部７ａの付近に荷重が加えられた場合における、第１接続部７ａの位置の変位量Ｓ１ａは、第１接続部７ａよりも奥側に同じ荷重が加えられた場合における、第１接続部７ａの位置の変位量Ｓ１ｃと、略同じとなる（Ｓ１ａ≒Ｓ１ｃ）。このように、床部４に対して荷重が加えられる位置に関わらず、第１接続部７ａの位置の変位量Ｓ１ａ〜Ｓ１ｃは、略同じとなる（Ｓ１ａ≒Ｓ１ｂ≒Ｓ１ｃ）。
【００５０】
斯かる動作は、第２接続部７ｂ側でも同様に起きるため、第１及び第２横方向Ｄ１，Ｄ２において異なる位置に荷重が加えられた場合でも、中央位置Ｐ３を含む被検出部７ｃの位置の変位量は、略同じになる。これにより、床部４に対して荷重が加えられる位置に関わらず、検出部８で検出される荷重値は、略同じとなる。したがって、床部４に対する荷重を正確に検出することができる。
【００５１】
本実施形態においては、第１及び第２弾性部６ａ，６ｂは、それぞれ三つ備えられている、という構成であるが、第１及び第２弾性部６ａ，６ｂの個数は、複数備えられていれば、特に限定されない。なお、第１及び第２弾性部６ａ，６ｂは、床部４に対する荷重を正確に検出するために、それぞれ三つ以上備えられている、という構成が好ましい。
【００５２】
また、図１１及び図１２に示すように、かご装置２は、長尺部７の第１接続部７ａを第１床枠９ａに接続する第１接続機構１０を備えている。なお、図示していないが、かご装置２は、長尺部７の第２接続部７ｂを第２床枠９ｂに接続する第２接続機構を備えている。
【００５３】
そして、第１接続部７ａは、第１床枠９ａに対して、第１横方向（長尺部７が延びる方向）Ｄ１にスライド可能となるように、接続されており、第２接続部７ｂは、第２床枠９ｂに対して、第１横方向Ｄ１にスライド可能となるように、接続されている。なお、第２接続部７ｂと第２床枠９ｂとの接続構造は、第１接続部７ａと第１床枠９ａとの接続構造
と略同じ構造であり、その説明は、繰り返さない。
【００５４】
本実施形態においては、第１接続機構１０は、ボルト１０ａ及びナット１０ｂを備えている。そして、第１床枠９ａ及び第１接続部７ａは、それぞれボルト１０ａに挿通される孔部９ｆ，７ｄを備えている。そして、第１接続部７ａの孔部７ｄは、第１横方向（長尺部７が延びる方向）Ｄ１に延びる長孔状に形成されている。
【００５５】
これにより、第１接続部７ａがボルト１０ａに対して移動できるため、第１接続部７ａは、第１床枠９ａに対して、第１横方向Ｄ１にスライド可能である。なお、接続部７ａ，７ｂと床枠９ａ，９ｂとの接続構造は、斯かる構成に限られず、接続部７ａ，７ｂが、床枠９ａ，９ｂに対して第１横方向Ｄ１にスライド可能となるように接続されていれば、特に限定されない。
【００５６】
斯かる構成の作用効果について、図１３〜図１５を参照しながら説明する。なお、図１３〜図１５は、床部４の変形が実際よりも大きくなるように、図示されている。
【００５７】
図１３〜図１５に示すように、床部４に荷重が加えられた際に、床枠部９が湾曲する（撓む）ように弾性変形する場合がある。図１３〜図１５において、１点鎖線は、床部４に荷重が加えられていない際の、床枠部９の上面の位置を示し、２点鎖線は、床部４に荷重が加えられている際に、床枠部９が弾性変形していない場合の、床枠部９の上面の位置を示している。
【００５８】
このとき、床枠部９の第１横方向Ｄ１の中央部における変位量Ｓ４は、床枠部９の第１横方向Ｄ１の端部における変位量Ｓ５よりも、大きくなっている。即ち、中央部の変位量Ｓ４は、荷重による変位量（端部の変位量）Ｓ５に、床枠部９の弾性変形による変位量を含んでいる。
【００５９】
そして、図１３に示すように、床枠部９が弾性変形することに伴って、床枠９ａ，９ｂが近づくように（図１３の矢印方向に）変位すると、長尺部７の接続部７ａ，７ｂが、床枠９ａ，９ｂに対して不動に固定されている場合には、長尺部７の接続部７ａ，７ｂも、近づくように（図１３の矢印方向に）変位する。これにより、長尺部７も湾曲するように弾性変形する。したがって、床枠部９が湾曲するように弾性変形した場合には、検出部８は、弾性変形による変位量も含む変位量Ｓ４を、荷重による変位量として誤検出することになる。
【００６０】
また、図１４に示すように、長尺部７が補強材９ｅと平行に配置されている場合には、長尺部７は、弾性変形しない。しかしながら、第３及び第４床枠９ｃ，９ｄ（図１４においては、第４床枠９ｄのみ図示している）が湾曲するように弾性変形しているため、第３及び第４床枠９ｃ，９ｄに固定される長尺部７の変位量は、床枠部９の弾性変形による変位量を含む変位量Ｓ４となる。これにより、床枠部９が湾曲するように弾性変形した場合には、検出部８は、弾性変形による変位量も含む変位量Ｓ４を、荷重による変位量として誤検出することになる。
【００６１】
それに対して、図１５に示すように、本実施形態に係るかご装置２においては、長尺部７は、補強材９ｅと交差するように配置され、そして、接続部７ａ，７ｂは、床枠９ａ，９ｂに対して、第１横方向Ｄ１にスライド可能であり、しかも、長尺部７は、補強材９ｅから離れている。したがって、床枠部９が湾曲するように弾性変形した場合には、接続部７ａ，７ｂが床枠９ａ，９ｂに対してスライドし、しかも、長尺部７が補強材９ｅに接することがないため、長尺部７は、弾性変形しない。
【００６２】
これにより、長尺部７の変位量は、床枠部９の弾性変形による変位量を含まない。即ち、長尺部７の変位量は、荷重のみによる変位量Ｓ５となる。したがって、仮に、床枠部９が湾曲するように弾性変形した場合でも、床部４に対する荷重を正確に検出することができる。なお、かご装置２は、図１５に係る構成であることが好ましいものの、斯かる構成に限られず、例えば、図１３に係る構成であってもよい、また、例えば、図１４に係る構成であってもよい。
【００６３】
以上より、本実施形態に係るエレベータ１は、エレベータかご装置２と、前記エレベータかご装置２に接続されるロープ１ａと、前記ロープ１ａに接続される釣合錘１ｂと、を備える。
【００６４】
そして、本実施形態に係るエレベータかご装置２は、平行となるように延びる第１及び第２床枠９ａ，９ｂを有する床部４と、前記床部４を下方から支持する支持部５と、前記第１床枠９ａと前記支持部５とを接続する複数の第１弾性部６ａと、前記第２床枠９ｂと前記支持部５とを接続する複数の第２弾性部６ｂと、前記支持部５に対して固定され、前記床部４に対する荷重を検出する検出部８と、前記床部４に対して固定され、前記検出部８に変位量を検出される被検出部７ｃと、を備え、前記被検出部７ｃは、前記第１床枠９ａの端部に対する前記複数の第１弾性部６ａの位置の、平均の位置である第１位置Ｐ１と、前記第２床枠９ｂの端部に対する前記複数の第２弾性部６ｂの位置の、平均の位置である第２位置Ｐ２と、の中心位置Ｐ３を含む。
【００６５】
斯かる構成によれば、被検出部７ｃは、第１床枠９ａの端部に対する複数の第１弾性部６ａの位置の、平均の位置である第１位置Ｐ１と、第２床枠９ｂの端部に対する複数の第２弾性部６ｂの位置の、平均の位置である第２位置Ｐ２と、の中心位置Ｐ３を含んでいる。これにより、荷重が加えられる床部４の位置に起因して被検出部７ｃの変位量が変わることを、抑制することができる。したがって、床部４に対する荷重を正確に検出することができる。
【００６６】
また、上記実施形態に係るエレベータかご装置２は、前記第１床枠９ａから前記第２床枠９ｂまで延びて前記第１及び第２床枠９ａ，９ｂにそれぞれ接続される長尺部７を備え、前記被検出部７ｃは、前記長尺部７の中央部に配置され、前記長尺部７が前記第１床枠９ａに接続される部分７ａは、前記第１位置Ｐ１を含み、前記長尺部７が前記第２床枠９ｂに接続される部分７ｂは、前記第２位置Ｐ２を含む。
【００６７】
斯かる構成によれば、長尺部７が第１床枠９ａに接続される部分７ａは、第１位置Ｐ１を含み、長尺部７が第２床枠９ｂに接続される部分７ｂは、第２位置Ｐ２を含んでいる。これにより、被検出部７ｃが長尺部７の中央部に配置されているため、長尺部７が長尺に形成されていても、被検出部７ｃが中心位置Ｐ３を確実に含むことができる。
【００６８】
また、本実施形態に係るエレベータかご装置２においては、前記床部４は、前記第１床枠９ａから前記第２床枠９ｂまで延びて前記第１及び第２床枠９ａ，９ｂにそれぞれ接続される第３及び第４床枠９ｃ，９ｄと、前記第３床枠９ｃから前記第４床枠９ｄまで延びて前記第３及び第４床枠９ｃ，９ｄにそれぞれ接続される少なくとも一つの補強材９ｅと、を備え、前記長尺部７が延びる方向Ｄ１は、前記補強材９ｅが延びる方向Ｄ２に対して交差する方向Ｄ１である、という構成である。
【００６９】
斯かる構成によれば、少なくとも一つの補強材９ｅが、第３床枠９ｃから第４床枠９ｄまで延びて、第３及び第４床枠９ｃ，９ｄにそれぞれ接続されているため、床部４の強度が大きくなっている。しかも、長尺部７の延びる方向Ｄ１が、縦方向Ｄ３視において、補強材９ｅの延びる方向Ｄ２と交差する方向Ｄ１である。これにより、床部４の強度がさらに大きくなっているため、床部４が弾性変形することを抑制することができる。
【００７０】
また、本実施形態に係るエレベータかご装置２においては、前記長尺部７は、前記補強材９ｅから離れており、前記長尺部７は、前記第１及び第２床枠９ａ，９ｂの少なくとも一方（本実施形態においては、第１及び第２床枠９ａ，９ｂの両方）に対して、前記長尺部７が延びる方向Ｄ１にスライド可能となるように、前記第１及び第２床枠９ａ，９ｂにそれぞれ接続される、という構成である。
【００７１】
斯かる構成によれば、長尺部７が延びる方向Ｄ１が、補強材９ｅが延びる方向Ｄ２に対して交差する方向であるため、床部４が弾性変形した場合に、長尺部７は、第１及び第２床枠９ａ，９ｂの少なくとも一方に対して、長尺部７が延びる方向Ｄ１にスライドする。これにより、床部４が弾性変形することに起因して長尺部７も弾性変形することを、抑制することができる。したがって、床部４に対する荷重を正確に検出することができる。
【００７２】
なお、エレベータ１及びエレベータかご装置２は、上記した実施形態の構成に限定されるものではなく、また、上記した作用効果に限定されるものではない。また、エレベータ１及びエレベータかご装置２は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７３】
（１）上記実施形態に係るエレベータかご装置２においては、長尺部７は、接続部７ａ，７ｂ及び被検出部７ｃが一つの部品からなる、という構成である。しかしながら、エレベータかご装置２は、斯かる構成に限られない。例えば、図１６に示すように、長尺部７は、長尺に形成される被検出部７ｃと、被検出部７ｃの上面と床枠９ａ，９ｂの下面とを接続する接続部７ａ，７ｂを備えている、という構成でもよい。
【００７４】
（２）また、上記実施形態に係るエレベータかご装置２においては、複数の第２弾性部６ｂの配置は、第２横方向Ｄ２に対して、複数の第１弾性部６ａの配置と、線対称となっている、という構成である。しかしながら、エレベータかご装置２は、斯かる構成に限られない。例えば、複数の第２弾性部６ｂの配置は、第２横方向Ｄ２に対して、複数の第１弾性部６ａの配置と、非対称となっている、という構成でもよい。また、例えば、第１弾性部６ａの個数は、第２弾性部６ｂの個数と異なっていてもよい。
【００７５】
（３）また、上記実施形態に係るエレベータかご装置２においては、長尺部７の延びる方向Ｄ１は、縦方向Ｄ３視において、補強材９ｅの延びる方向Ｄ２に対して交差する方向Ｄ１である、という構成である。しかしながら、エレベータかご装置２は、斯かる構成に限られない。例えば、補強材９ｅは、第１横方向Ｄ１に沿って延びて第１及び第２床枠９ａ，９ｂにそれぞれ接続され、長尺部７の延びる方向Ｄ１は、補強材９ｅの延びる方向Ｄ１と平行な方向Ｄ１である、という構成でもよい。
【００７６】
（４）また、上記実施形態に係るエレベータかご装置２においては、床枠部９は、第１〜第４床枠９ａ〜９ｄ及び補強材９ｅを備えている、という構成である。しかしながら、エレベータかご装置２は、斯かる構成に限られない。例えば、床枠部９は、補強材９ｅを備えておらず、第１〜第４床枠９ａ〜９ｄのみ備えている、という構成でもよい。さらに、例えば、床枠部９は、第３及び第４床枠９ｃ，９ｄを備えておらず、第１及び第２床枠９ａ，９ｂのみ備えている、という構成でもよい。
【００７７】
（５）また、上記実施形態に係るエレベータかご装置２においては、長尺部７は、第１及び第２床枠９ａ，９ｂの両方に対して、第１横方向Ｄ１にスライド可能となるように、第１及び第２床枠９ａ，９ｂにそれぞれ接続されている、という構成である。しかしながら、エレベータかご装置２は、斯かる構成に限られない。
【００７８】
例えば、長尺部７は、第１床枠９ａ（又は第２床枠９ｂ）のみに対して、第１横方向Ｄ１にスライド可能となるように、第１及び第２床枠９ａ，９ｂにそれぞれ接続されている、という構成でもよい。また、例えば、長尺部７は、第１及び第２床枠９ａ，９ｂの両方に対して不動となるように、第１及び第２床枠９ａ，９ｂにそれぞれ接続されている、という構成でもよい。
【００７９】
（６）また、上記実施形態に係るエレベータかご装置２においては、長尺部７の第１接続部７ａは、第１位置Ｐ１を含み、長尺部７の第２接続部７ｂは、第２位置Ｐ２を含む、という構成である。しかしながら、エレベータかご装置２は、斯かる構成に限られない。例えば、図１７に示すように、長尺部７の第１接続部７ａは、第１位置Ｐ１から離れ、長尺部７の第２接続部７ｂは、第２位置Ｐ２から離れ、被検出部７ｃは、中心位置Ｐ３を含む、という構成でもよい。なお、図１７においては、補強材９ｅが図示されていない。
【００８０】
（７）また、上記実施形態に係るエレベータかご装置２においては、長尺部７は、直線状に形成されている、という構成である。しかしながら、エレベータかご装置２は、斯かる構成に限られない。例えば、被検出部７ｃが中心位置Ｐ３を含んでいれば、長尺部７は、少なくとも一部が湾曲したり屈曲したりして、形成されている、という構成でもよい。
【００８１】
（８）また、上記実施形態に係るエレベータかご装置２においては、長尺部７は、第１及び第２床枠９ａ，９ｂにそれぞれ接続されている、という構成である。しかしながら、エレベータかご装置２は、斯かる構成に限られない。例えば、長尺部７は、第３及び第４床枠９ｃ，９ｄにそれぞれ接続されている、という構成でもよく、また、例えば、第１及び第３床枠９ａ，９ｃにそれぞれ接続されている、という構成でもよい。また、例えば、図１８に示すように、長尺部７は、補強材９ｅに接続されている、という構成でもよい。
【００８２】
（９）また、上記実施形態に係るエレベータかご装置２においては、長尺部７は、補強材９ｅから離れている、という構成である。しかしながら、エレベータかご装置２は、斯かる構成に限られない。例えば、長尺部７は、補強材９ｅに接している、という構成でもよい。さらに、例えば、長尺部７は、図１８に示すように、補強材９ｅに接続されている、という構成でもよい。
【実施例】
【００８３】
エレベータかご装置２の構成と効果を具体的に示すため、エレベータかご装置２の実施例とその比較例とについて、図１９及び図２０を参照しながら、以下に説明する。
【００８４】
＜性能評価方法＞
床部４を第１横方向Ｄ１及び第２横方向Ｄ２にそれぞれ三等分して区画される九つの領域に、それぞれ６７ｋｇのユーザが乗った場合に、検出部８で検出された検出値の差を算出する。当該差が小さいほど、床部４に対する荷重を正確に検出することができている。
【００８５】
＜実施例＞
実施例は、上記実施形態に係るかご装置２であって、以下の構成を有する。
（１）床部４のサイズ
第１横方向Ｄ１の寸法：１，６１０ｍｍ×第２横方向Ｄ２の寸法：１，５８８ｍｍ
（２）第１及び第２弾性部６ａ，６ｂの個数
三つずつ（複数の第２弾性部６ｂの配置は、第２横方向Ｄ２に対して、複数の第１弾性部６ａの配置と、線対称である）
（３）各床枠９ａ，９ｂの端部に対する複数の弾性部６ａ，６ｂの中心位置の距離Ｌ１ａ〜Ｌ１ｃと、当該端部に対する第１及び第２位置Ｐ１，Ｐ２の距離Ｌ１，Ｌ２
・Ｌ１ａ，Ｌ２ａ：１，３６３ｍｍ
・Ｌ１ｂ，Ｌ２ｂ：    ９４９ｍｍ
・Ｌ１ｃ，Ｌ２ｃ：    ２３５ｍｍ
・Ｌ１，Ｌ２    ：    ８４９ｍｍ
したがって、床枠部９の端部に対する中心位置Ｐ３の距離は、８４９ｍｍとなる。
（４）床枠部９の端部に対する被検出部７ｃの距離
８４５〜８５５ｍｍ
したがって、被検出部７ｃは、中心位置Ｐ３を含む位置である。なお、長尺部７（被検出部７ｃ）の第２横方向Ｄ２の寸法は、１０ｍｍである。
【００８６】
＜比較例＞
比較例は、実施例に対して、以下の構成で異なっている。
（４）床枠部９の端部に対する被検出部７ｃの距離
７９０〜８００ｍｍ
したがって、被検出部７ｃは、中心位置Ｐ３から第２横方向Ｄ２に４９ｍｍ（＝８４９ｍｍ−７９０ｍｍ）だけ離れている位置である。
【００８７】
なお、床部４の第２横方向Ｄ２の中心位置は、７９４ｍｍ（＝１，５８８ｍｍ／２）であるため、実施例の被検出部７ｃの中心位置と床部４の中心位置との距離は、５６ｍｍ（＝８５０ｍｍ−７９４ｍｍ）であり、比較例の被検出部７ｃの中心位置と床部４の中心位置との距離は、１ｍｍ（＝７９５ｍｍ−７９４ｍｍ）である。即ち、比較例の被検出部７ｃの位置は、実施例の被検出部７ｃの位置よりも、床部４の中心位置に近くなっている。
【００８８】
＜評価結果＞
図１９に示すように、比較例においては、平均値が６７ｋｇであり、図２０に示すように、実施例においても、平均値が６７ｋｇである。そして、比較例の検出値の差は、１９ｋｇ（＝７４ｋｇ−５５ｋｇ）であることに対して、実施例の検出値の差は、８ｋｇ（＝７０ｋｇ−６２ｋｇ）である。
【００８９】
したがって、実施例に係るかご装置２の方が、床部４に対する荷重を正確に検出することができている。このように、被検出部７ｃが中心位置Ｐ３を含む、という構成を採用することによって、床部４に対する荷重を正確に検出することができる。
【符号の説明】
【００９０】
１…エレベータ、１ａ…ロープ、１ｂ…釣合錘、２…エレベータかご装置、２ａ…かご室、２ｂ…保持材、３…かご枠部、３ａ…上枠、３ｂ…下枠、３ｃ…縦枠、４…床部、４ａ…床板部、５…支持部、５ａ…第１支持枠、５ｂ…第２支持枠、５ｃ…第３支持枠、５ｄ…第４支持枠、６ａ…第１弾性部、６ｂ…第２弾性部、７…長尺部、７ａ…第１接続部、７ｂ…第２接続部、７ｃ…被検出部、７ｄ…孔部、８…検出部、９…床枠部、９ａ…第１床枠、９ｂ…第２床枠、９ｃ…第３床枠、９ｄ…第４床枠、９ｅ…補強材、９ｆ…孔部、１０…第１接続機構、１０ａ…ボルト、１０ｂ…ナット、Ｄ１…第１横方向、Ｄ２…第２横方向、Ｄ３…縦方向、Ｐ１…第１位置、Ｐ２…第２位置、Ｐ３…中心位置
【図１】
2019189451.tif 000003
【図２】
2019189451.tif 000004
【図３】
2019189451.tif 000005
【図４】
2019189451.tif 000006
【図５】
2019189451.tif 000007
【図６】
2019189451.tif 000008
【図７】
2019189451.tif 000009
【図８】
2019189451.tif 000010
【図９】
2019189451.tif 000011
【図１０】
2019189451.tif 000012
【図１１】
2019189451.tif 000013
【図１２】
2019189451.tif 000014
【図１３】
2019189451.tif 000015
【図１４】
2019189451.tif 000016
【図１５】
2019189451.tif 000017
【図１６】
2019189451.tif 000018
【図１７】
2019189451.tif 000019
【図１８】
2019189451.tif 000020
【図１９】
2019189451.tif 000021
【図２０】
2019189451.tif 000022